【事件の表示】
　特願２００５−３４３１４４「ノズル検査を伴う印刷」拒絶査定不服審判事件〔平成１８年　３月１６日出願公開、特開２００６−　６９２２６〕について、次のとおり審決する。
【結　論】
　本件審判の請求は、成り立たない。
【理　由】
第１　手続の経緯  
　本願は、平成１１年６月２日（以下「原出願日」という。）に出願した特願平１１−１５４７８４号の一部を平成１７年１１月２９日に新たな特許出願としたものであって、平成１８年６月１３日付けの最初の拒絶理由通知に応答して平成１８年８月１５日付けで手続補正がされ、平成１９年１月３１日付けの最初の拒絶理由通知に応答して平成１９年４月５日付けで手続補正がされたが平成１９年８月２１日付けで拒絶査定がされ、これを不服として平成１９年９月２７日付けで審判請求がされるとともに、平成１９年１０月２４日付けで特許請求の範囲及び明細書についての手続補正がされたものである。
　その後、前置報告書の内容を通知する平成２１年６月１０日付けの審尋に応答して平成２１年８月１３日付けで回答書が提出され、平成２２年１月８日付けの最初の拒絶理由通知に応答して平成２２年３月８日付けで特許請求の範囲及び明細書についての手続補正がされるとともに同日付けで意見書が提出された。
 　 
第２　本願発明の認定  
　本願の請求項１ないし５に係る発明は、平成２２年３月８日付けで補正された本願の請求項１ないし５に記載された事項により特定された次のとおりのものと認める。 
「　【請求項１】
　それぞれ１種類のインクのインク滴を吐出するための複数のノズル群を有し複数種類のインクを吐出する印刷ヘッドと、各ノズルがインク滴を吐出できるか否かを検査するための検査部と、を備えた印刷装置の制御方法であって、
　前記印刷ヘッドは、各ノズル群を構成する複数のノズルが副走査方向に一定のノズルピッチで整列しているとともに、前記複数のノズル群が主走査方向に沿って並ぶように構成されており、
　前記方法は、
　前記検査部によるノズルの検査によって前記副走査方向に一定のノズルピッチで整列している前記複数のノズルの中に非動作ノズルが検出されない場合に、印刷に使用する各インクの使用ノズル列として、各ノズル群の中から前記一定のノズルピッチで並ぶと共に同じ副走査方向位置に並ぶ所定個数のノズルで構成される使用ノズル列をそれぞれ選択して通常印刷を実行し、
　前記検査部によるノズルの検査によって前記副走査方向に一定のノズルピッチで整列している前記複数のノズルの中に非動作ノズルが検出され、かつ、前記複数種類のインクに関して同じ副走査方向位置に並ぶ複数の動作ノズルのみによって前記通常印刷時と同じ所定個数のノズルの使用ノズル列を構成できるときには、各インクについて、前記副走査方向に一定のノズルピッチで整列している前記複数のノズルの中から前記動作ノズルのみで構成される使用ノズル列を選択して印刷を実行することによってドット抜けの発生を防止することを特徴とする印刷装置の制御方法。
　　【請求項２】
　請求項１記載の印刷装置の制御方法であって、
　前記ノズル検査によって非動作ノズルが検出され、かつ、前記複数種類のインクに関して前記副走査方向の同じ位置に並ぶ複数の動作ノズルのみによって前記通常印刷時と同じ所定個数のノズルの使用ノズル列を構成できず、かつ、オーバーラップ印刷モードでないときには、前記使用ノズル列に含まれる非動作ノズルで記録されるべき主走査ライン上のドットを他の動作ノズルを用いて記録する補完動作を含む印刷動作に従って印刷を実行する、印刷装置の制御方法。
　　【請求項３】
　複数のノズルからインク滴を吐出することによって印刷を行う印刷装置であって、
　それぞれ１種類のインクのインク滴を吐出するための複数のノズル群を有し複数種類のインクを吐出する印刷ヘッドと、
　各ノズルからのインク滴の吐出の有無を検査することによって、各ノズルが、インク滴を吐出できる動作ノズルとインク滴を吐出できない非動作ノズルとのうちのいずれであるかを決定する検査部と、
　前記印刷ヘッドと前記記録媒体の少なくとも一方を駆動して主走査を行う主走査駆動部と、
　前記主走査の最中に前記ノズル列を駆動してドットの記録を行わせるヘッド駆動部と、
　前記主走査が終わる度に前記印刷ヘッドと前記記録媒体の少なくとも一方を駆動して副走査を行う副走査駆動部と、
　前記各部を制御するための制御部と、を備え、
　前記印刷ヘッドは、各ノズル群を構成する複数のノズルが副走査方向に一定のノズルピッチで整列しているとともに、前記複数のノズル群が主走査方向に沿って並ぶように構成されており、
　前記制御部は、
　前記検査部によるノズルの検査によって前記副走査方向に一定のノズルピッチで整列している前記複数のノズルの中に非動作ノズルが検出されない場合に、印刷に使用する各インクの使用ノズル列として、各ノズル群の中から前記一定のノズルピッチで並ぶ所定個数のノズルで構成される使用ノズル列をそれぞれ選択して通常印刷を実行し、
　前記検査部によるノズルの検査によって前記副走査方向に一定のノズルピッチで整列している前記複数のノズルの中に非動作ノズルが検出され、かつ、前記複数種類のインクに関して同じ副走査方向位置に並ぶ複数の動作ノズルのみによって前記通常印刷時と同じ所定個数のノズルで構成される使用ノズル列を構成できるときには、各インクについて、前記副走査方向に一定のノズルピッチで整列している前記複数のノズルの中から前記動作ノズルのみで構成される使用ノズル列を選択して印刷を実行することによってドット抜けの発生を防止することを特徴とする印刷装置。
　　【請求項４】
　請求項３記載の印刷装置であって、
　前記制御部は、前記ノズル検査によって非動作ノズルが検出され、かつ、前記複数種類のインクに関して前記副走査方向の同じ位置に並ぶ複数の動作ノズルのみによってはそれぞれ前記通常印刷時と同じ所定個数のノズルの使用ノズル列を構成できず、かつ、オーバーラップ印刷モードでないときには、前記使用ノズル列に含まれる非動作ノズルで記録されるべき主走査ライン上のドットを他の動作ノズルを用いて記録する補完動作を含む印刷動作に従って印刷を実行する、印刷装置。
　　【請求項５】
　それぞれ１種類のインクのインク滴を吐出するための複数のノズル群を有し、各ノズル群を構成する複数のノズルが副走査方向に一定のノズルピッチで整列しているとともに、前記複数のノズル群が主走査方向に沿って並ぶように構成されて複数種類のインクを吐出する印刷ヘッドと、各ノズルがインク滴を吐出できるか否かを検査するための検査部と、を有する印刷装置を備えたコンピュータに、印刷を実行させるためのコンピュータプログラムを記録したコンピュータ読み取り可能な記録媒体であって、
　前記検査部によるノズルの検査によって前記副走査方向に一定のノズルピッチで整列している前記複数のノズルの中に非動作ノズルが検出されない場合に、印刷に使用する各インクの使用ノズル列として、各ノズル群の中から前記一定のノズルピッチで並ぶと共に同じ副走査方向位置に並ぶ所定個数のノズルで構成される使用ノズル列をそれぞれ選択して通常印刷を実行する機能をコンピュータに実現させるためのコンピュータプログラムを記録したコンピュータ読み取り可能な記録媒体であり、
　前記機能は、前記検査部によるノズルの検査によって前記副走査方向に一定のノズルピッチで整列している前記複数のノズルの中に非動作ノズルが検出され、かつ、前記複数種類のインクに関して同じ副走査方向位置に並ぶ複数の動作ノズルのみによってそれぞれ前記通常印刷時と同じ所定個数のノズルの使用ノズル列を構成できるときには、前記副走査方向に一定のノズルピッチで整列している前記複数のノズルの中から前記動作ノズルのみで構成される使用ノズル列を選択して印刷を実行することによってドット抜けの発生を防止する機能を含む、コンピュータ読み取り可能な記録媒体。」
　そのうち、請求項１に係る発明を以下「本願発明」という。
 　  
 第３　引用発明の認定  
　平成２２年１月８日付けの拒絶理由通知で引用された、原出願日前に頒布された刊行物である特公平４−６００２３号公報（以下「引用例」という。）には、以下（ア）〜（ウ）の記載が図示とともにある。  
（ア）「（５７）特許請求の範囲
１ ノズルからインク液滴を吐出して記録を行なうインクジエツト記録装置において、主ノズルにそれぞれ対応して少なくともひとつの予備ノズルを設けるとともに、駆動信号を切り換えて前記の主および予備ノズルのいずれかを選択して駆動する手段と、予備ノズルを駆動する場合に対応する主ノズルから当該予備ノズルまでの距離に対応した走査時間だけ予備ノズルの駆動タイミングを調整する手段を設けたことを特徴とするインクジエツト記録装置。 
２ インク吐出不良検出手段を設け、この検出手段により吐出不良を検出した際に前記切り換え手段により主ノズルから予備ノズルへの駆動信号の切り換えが行なわれることを特徴とする特許請求の範囲第１項に記載のインクジエツト記録装置。」（第１欄１〜１６行。○内に数字は（）内に数字で代用した。）
 　 
（イ）「以上の実施例において、主ノズルおよび予備ノズルは４本づつ設けているが、ノズルの数はこれに限定されることがないのはもちろんである。また、上記の説明ではインク色に関しては触れなかつたが、４本とも同一色のインクを噴射するように構成してもよいし、また４本にそれぞれ異なるインク、たとえばイエロー、マゼンタ、シアン、ブラツクなどの４色のインクを割り当てて吐出させ、カラー記録を行なえるようにしてもよい。」（第５欄１８〜２６行） 
 　 
（ウ）「また、デイレイ回路を設けなくとも、予備ノズルを主走査方向に並べた場合、先に主ノズルによる印字が行なわれる様に配置すれば主ノズルが液滴不吐出状態になつた時、即座にその主ノズルに対応した予備ノズルに信号を切換える事で画像品位の低下はほとんど無くなる。
　以上の実施例では主ノズルが主走査すなわち、ヘツドの移送方向に配置され、そのそれぞれについて主走査方向に予備ノズルを設けた例を示したが、第３図に示すように主ノズルを主走査方向と異なる方向（この例では直角）に配置し、そのそれぞれについて予備ノズルを設けるようにしてもよい。また、第１図のように予備ノズルはそれぞれ対応する主ノズルの近傍に設けなくてもよい。たとえば第１図の例でいえば、示された８個のノズルのうち右側の４個、左側の４個というように主および予備のノズルをふり分けてもよい。あるいは中央の４個を主ノズルに、外側の２個ずつを予備ノズルとするようにしてもよい。このように構成した場合にはヘツドの走査幅は必ずしもヘツド全体が記録媒体上の記録幅をカバーする必要はなく、主または予備の現在使用されているノズルが所定記録幅をカバーするように配置すれば良い。」（第５欄３３行〜第６欄１２行）  
 　  
　上記（ウ）の「第３図に示すように主ノズルを主走査方向と異なる方向（この例では直角）に配置し」にいう「主走査方向と直角の方向」はいわゆる副走査方向である。
　第３図からは、４個ある主ノズル２Ａ〜２Ｄが副走査方向に一定のノズルピッチで並んでいること、４個ある予備ノズル２Ａ′〜２Ｄ′が副走査方向に一定のノズルピッチで並んでいること、主ノズル２Ａ〜２Ｄと予備ノズル２Ａ′〜２Ｄ′の対応するもの同士（２Ａと２Ａ′、２Ｂと２Ｂ′、２Ｃと２Ｃ′、２Ｄと２Ｄ′）が同じ副走査方向位置（２Ａと２Ａ′がある一番高い位置、２Ｂと２Ｂ′がある２番目の高さの位置、２Ｃと２Ｃ′がある３番目の高さの位置、２Ｄと２Ｄ′がある４番目の高さで一番下の位置）に並んでいることが看取できる。
　　
　上記（ウ）よりノズルはヘッドに備わる。ヘッドに備わる主ノズル２Ａ〜２Ｄと予備ノズル２Ａ′〜２Ｄ′を合わせてノズル群といえる。 
　上記（イ）より、このノズル群は同一色のインクを噴射するものも含む。
  　 
 　上記（ア）及び（ウ）より、インク吐出不良検出手段が吐出不良を検出しないときには４個の主ノズル２Ａ〜２Ｄのみで記録が行われ、これを通常印刷と呼べる。 
 　 
 　上記（ア）及び（ウ）より、インク吐出不良検出手段が吐出不良を検出したときには４個の主ノズル２Ａ〜２Ｄのうちの吐出不良のノズルを予備ノズル２Ａ′〜２Ｄ′の中の対応するノズルに置き換えた４個のノズルで記録が行われる。例えば、引用例の第４欄３４〜３８行には主ノズル２Ｂが吐出不良を起こしたときに予備ノズル２Ｂ′に切り換える例が記載されている。
 　  
　上記（ア）における「インク吐出不良検出手段」は「この検出手段により吐出不良を検出した際に前記切り換え手段により主ノズルから予備ノズルへの駆動信号の切り換えが行なわれる」ものであるから、主ノズルのインク吐出不良を検出することは明らかである。（主ノズル２Ａ〜２Ｄと予備ノズル２Ａ’〜２Ｄ’合わせて８個のノズルがある一方、引用例の第２図で吐出異常検出器６に４本の線が結ばれていることは、吐出異常検出器６が４個の主ノズル２Ａ〜２Ｄのインク吐出不良を検出することを示唆する。） 
 　　 
　以上のことから、上記（ア）〜（ウ）の記載を含む引用例には以下の発明が記載されていると認められる。  
「同一色のインクのインク滴を吐出するための、４個の主ノズルと４個の予備ノズルからなる１つのノズル群を有するヘッドと、主ノズルがインク吐出不良であるか否かを検査するためのインク吐出不良検出手段と、を備えたインクジエツト記録装置の制御方法であって、 
　前記ヘッドは、ノズル群を構成する４個の主ノズルと４個の予備ノズルがそれぞれ副走査方向に一定のノズルピッチで整列しており、 
 　前記方法は、 
 　前記インク吐出不良検出手段によるノズルの検査によって前記副走査方向に一定のノズルピッチで整列している前記４個の主ノズルの中にインク吐出不良ノズルが検出されない場合に、記録に使用する使用ノズルとして、ノズル群の中から前記一定のノズルピッチで並ぶと共に４つある副走査位置の各副走査位置に１個ずつある主ノズルを使用ノズルとして選択して通常記録を実行し、 
　前記インク吐出不良検出手段によるノズルの検査によって前記副走査方向に一定のノズルピッチで整列している前記４個の主ノズルの中にインク吐出不良ノズルが検出され、かつ、４つある副走査位置の各副走査位置に１個ずつあるインク吐出不良でないノズルのみによって前記通常記録時と同じ各副走査位置について１個のノズルを使用ノズルとして選択できるときには、それぞれ前記副走査方向に一定のノズルピッチで整列している前記４個の主ノズルと４個の予備ノズルの中から前記インク吐出不良でないノズルのみで構成される使用ノズルを選択して記録を実行するインクジエツト記録装置の制御方法。」（以下「引用発明」という。）  
 　  
第４　本願発明と引用発明の対比  
　引用発明の「同一色のインク」、「ヘッド」、「インク吐出不良検出手段」、「インク吐出不良ノズル」、「記録」、「インクジエツト記録装置」、「インク吐出不良でないノズル」は、それぞれ本願発明の「１種類のインク」、「印刷ヘッド」、「検査部」、「非動作ノズル」、「印刷」、「印刷装置」、「動作ノズル」に相当する。  
 　  
　引用発明の主ノズルと予備ノズルの各個数である「４個」及び主ノズルと予備ノズルを合わせた個数である「８個」はともに「複数」である。
　
　引用発明の「主ノズル」と「予備ノズル」のそれぞれは「副走査方向に一定のノズルピッチで整列している」が、「主ノズル」と「予備ノズル」を合わせた複数（８個）のノズルは副走査方向に１列に一定のノズルピッチで整列していない。（引用例の第３図のとおり「主ノズル」の列と「予備ノズル」の列の２列である。）
　しかしながら、「ノズル群を構成する複数のノズル」である点で、本願発明の「複数のノズル」と共通している。
　
　引用発明は一色のインクによる記録であって１つのノズル群しかなく、各副走査方向位置には１個のノズルしか存在しない。これに対して、本願発明は「複数種類のインク」による印刷であり、各インクに対応して複数のノズル群が存在し、かつ千鳥状ではなく異なるノズル群の対応するノズル同士が同じ副走査方向位置に並ぶようにしているので、同じ副走査方向位置に所定個数（ノズル群の数つまりインクの種類の数）のノズルが並んで列（使用ノズル列）が構成される。
　しかしながら、各副走査方向位置において使用される「使用ノズル」である点で、引用発明の「使用ノズル」は、本願発明の「使用ノズル列」と共通している。
　
　引用発明では、各副走査方向位置に「主ノズル」と「予備ノズル」とが存在し、通常は「主ノズル」を使用し、「主ノズル」がインク吐出不良のときは「予備ノズル」を使用するから、各副走査方向位置において、「主ノズル」若しくは「予備ノズル」の１個のノズルが選択され使用される。
　
　引用発明では、インク吐出不良の主ノズルを予備ノズルで置き換えることにより、ドット抜けが防止される。 
 　  
　したがって、本願発明と引用発明の一致点と相違点は以下のとおりである。  
＜一致点＞  
「インク滴を吐出するためのノズル群を有しインクを吐出する印刷ヘッドと、検査対象のノズルがインク滴を吐出できるか否かを検査するための検査部と、を備えた印刷装置の制御方法であって、
　前記印刷ヘッドは、ノズル群が複数のノズルで構成されており、
　前記方法は、 
　前記検査部によるノズルの検査によって前記複数のノズルの中に非動作ノズルが検出されない場合に、印刷に使用する使用ノズルとして、ノズル群の中から各副走査方向位置にそれぞれ存在するノズルで構成される使用ノズルを選択して通常印刷を実行し、 
　前記検査部によるノズルの検査によって前記複数のノズルの中に非動作ノズルが検出され、かつ、各副走査方向位置にそれぞれ存在する動作ノズルのみによって前記通常印刷時と同じ所定個数の使用ノズルを構成できるときには、前記複数のノズルの中から前記動作ノズルのみによって構成される使用ノズルを選択して印刷を実行することによってドット抜けの発生を防止する印刷装置の制御方法。」  
 　  
＜相違点１＞  
　「印刷ヘッド」について、本願発明は「それぞれ１種類のインクのインク滴を吐出するための複数のノズル群を有し複数種類のインクを吐出する印刷ヘッド」及び「前記印刷ヘッドは、各ノズル群を構成する複数のノズルが副走査方向に一定のノズルピッチで整列しているとともに、前記複数のノズル群が主走査方向に沿って並ぶように構成されており」と特定されるのに対して、引用発明は「印刷ヘッド」（ヘッド）が１つのノズル群を有するので、該特定を有しない点。  
 　  
＜相違点２＞ 
　「検査部」について、本願発明は「各ノズルがインク滴を吐出できるか否かを検査するための検査部」、及び「前記検査部によるノズルの検査によって前記副走査方向に一定のノズルピッチで整列している前記複数のノズルの中に非動作ノズルが検出されない」か「前記検査部によるノズルの検査によって前記副走査方向に一定のノズルピッチで整列している前記複数のノズルの中に非動作ノズルが検出され」る、と特定されるのに対して、引用発明は「検査部」（インク吐出不良検出手段）が、「複数のノズル」ではなくそのうちの主ノズルのみを検査するものであり、かつ「複数のノズル群」のノズルではなく１つのノズル群のノズルを検査するものであるので、該特定を有しない点。  
 　　  
＜相違点３＞ 
　検査部によるノズルの検査によって非動作ノズルが検出されない場合の通常印刷に使用するノズルについて、本願発明は「印刷に使用する各インクの使用ノズル列として、各ノズル群の中から前記一定のノズルピッチで並ぶと共に同じ副走査方向位置に並ぶ所定個数のノズルで構成される使用ノズル列をそれぞれ選択して」と特定されるのに対して、引用発明は該特定を有しない点。 
 　  
＜相違点４＞ 
　検査部によるノズルの検査によって非動作ノズルが検出された場合の印刷に使用されるノズルについて、本願発明は「前記複数種類のインクに関して同じ副走査方向位置に並ぶ複数の動作ノズルのみによって前記通常印刷時と同じ所定個数のノズルの使用ノズル列を構成できるときには、各インクについて、前記副走査方向に一定のノズルピッチで整列している前記複数のノズルの中から前記動作ノズルのみで構成される使用ノズル列を選択して」と特定されるのに対して、引用発明は該特定を有しない点。 
 　 
第５　相違点についての判断  
＜相違点１＞について  
　インクジエツト記録装置において、多色化のために、それぞれ１種類のインクのインク滴を吐出するノズル群を印刷ヘッドに複数備え、かつ、各ノズル群を構成する複数のノズルが副走査方向に一定のノズルピッチで整列しているとともに、前記複数のノズル群が主走査方向に沿って並ぶように構成することは周知技術である。
　該周知技術に関し、原出願日前日本国内において頒布された特開平１１−９８８号公報（以下「周知例１」という。）及び特開平７−２５０１４号公報（以下「周知例２」という。）を挙げることができる。特に、以下の記載を参照されたい。
　
周知例１について
「【００２６】図１に示されるように、キャリッジ１はシアン（Ｃ）、マゼンタ（Ｍ）、イエロ（Ｙ）、ブラック（Ｋ）のインクを夫々、記録媒体６に吐出して記録を行う記録ヘッド２ａ、２ｂ、２ｃ、２ｄを搭載しており、ガイドシャフト３はキャリッジ１を移動可能に案内支持している。また、エンドレスベルト４は、その一部が
キャリッジ１に接続されている。なお、以降の説明で記録ヘッド全体対して、或は、記録ヘッド２ａ、２ｂ、２ｃ、２ｄの区別なく言及するときは記録ヘッド２として言及する。
【００２７】キャリッジ１は、モータドライバ２３によって駆動されるパルスモータである駆動モータ５によりエンドレスベルト４を介してガイドシャフト３上を紙、ＯＨＰフィルム、布等の記録媒体（以下、プリント用紙と言う）６の記録面Ｐに沿って矢印Ｄ、Ｅ方向に往復移動するように制御される。キャリッジ１の矢印Ｄ方向から矢印Ｅ方向への移動方向の切り換えは、キャリッジセンサ１０１がキャリッジ１の位置を検知したタイミングで行う。一方、プリント用紙６は、搬送モータ９によって駆動される搬送ローラ７、案内ローラ８Ａ、８Ｂによって矢印Ｆ方向に搬送される。」
　
周知例２について
「【００６４】図５は第３実施例で使用する液滴噴射プリント・ヘッド２４′の構成例を示しており、当該液滴噴射プリント・ヘッド２４′における各色のインクを適用したマルチノズル液滴噴射ヘッドの配置を示す図である。Ｘは第一走査方向、すなわち主走査方向を示し、Ｙは第二走査方向、すなわち、副走査方向を示している。液滴噴射ヘッド２４′は各色別のヘッドが第一走査方向に並び、各色別のヘッドはノズルを複数個、第二走査方向に並べて配置してある。
【００６５】ＨＹはイエローインク、ＨＭはマゼンタインク、ＨＣはシアンインク、ＨＫは黒インクを適用したプリント・ヘッドである。このように、各色のプリント・ヘッドＨＹ，ＨＭ，ＨＣ，ＨＫはＹ方向には同じ位置で、Ｘ方向では隣接するように配置されている。」
　
　よって、引用発明において、本願発明の相違点１に係る構成を備えることは、周知技術に基づいて、当業者が容易に想到し得たことである。 
 　  
＜相違点３＞及び＜相違点４＞について
（ｉ）引用発明の「主ノズル」と「予備ノズル」は、副走査方向に１列に一定のノズルピッチで整列していないことは、上記「第４　本願発明と引用発明の対比」で述べたとおりである。
　しかしながら、引用例には「第１図のように予備ノズルはそれぞれ対応する主ノズルの近傍に設けなくてもよい。たとえば第１図の例でいえば、示された８個のノズルのうち右側の４個、左側の４個というように主および予備のノズルをふり分けてもよい。あるいは中央の４個を主ノズルに、外側の２個ずつを予備ノズルとするようにしてもよい。」との記載がある。（上記「第３　引用発明の認定」の（ウ）参照。）
　よって、引用発明の「予備ノズル」を、「主ノズル」に隣接し主走査方向に並ぶ位置以外に配置することは、引用例の上記記載から当業者が容易に想到し得る。
　
　一方、引用発明と同じく副走査方向にノズルが並ぶインクジエツト記録装置のヘッドにおいて、通常の印刷に使用するノズルと動作不良となったときに使用するノズルとを含むノズル全体を、副走査方向に１列に一定のノズルピッチで整列させることは周知技術である。
　該周知技術に関し、周知例１及び原出願日前日本国内において頒布された特開平８−１８７８８１号公報（以下「周知例３」という。）を挙げることができる。特に、以下の記載を参照されたい。
　
周知例１について
「【請求項１】　一列に配列されたｎ個の記録素子を有した記録ヘッドを用いて記録媒体に記録を行う記録装置であって、
　記録データを外部から入力する入力手段と、
　前記記録ヘッドを往復走査する走査手段と、
　前記記録ヘッドの走査方向に垂直に前記記録媒体を搬送する搬送手段と、
　前記ｎ個の記録素子が正常に記録動作をするかどうかを検査する検査手段と、
　（ｎ／ｍ）個の記録素子を通常の記録動作に用いる第１の記録素子として選択し、｛ｎ（ｍ−１）／ｍ｝個の記録素子を通常の記録動作には用いない第２の記録素子として選択設定する設定手段と、
　前記入力手段によって入力された同一の記録データを、前記実際の記録動作に用いる第１の記録素子と前記第２の記録素子とに割当てるデータ割当て手段と、
　前記検査手段による検査結果に基づき、前記設定手段によって選択設定された通常の記録動作に用いる第１の記録素子が動作不良であると判別された場合には、前記データ割当て手段によって同一の記録データが割当てられている前記第２の記録素子を記録動作に用いる代替素子として選択する変更手段とを有し、
　前記設定手段は、前記第２の記録素子が記録動作に用いる代替素子として選択されても前記搬送手段による前記記録媒体の搬送量が変化しないように前記選択設定を行うことを特徴とする記録装置。」
（｛ｎ（ｍ−１）／ｍ｝は｛ｎ−ｎ／ｍ｝に等しいから、【請求項１】によれば、通常の記録動作に用いる第１の記録素子（ｎ／ｍ）個と通常の記録動作には用いず代替素子として選択される第２の記録素子｛ｎ−ｎ／ｍ｝個の合わせてｎ個の記録素子が記録ヘッドに一列に配列されている。）
　
「【０１０９】このような構成の記録ヘッドで、例えば、図１４に示すように、第６及び第９ノズルが吐出不良ノズルになると、冗長ノズルである第３ノズルを代替ノズルとして選択して記録を行うように記録制御の設定を変更する。このような変更をすることで、記録ヘッドの走査が進行するにつれて、図１４（ａ）〜（ｄ）に示すように、図１３に示したのと同様の欠陥のない画像が記録される。」
（【０１０９】が参照する図１４からは、記録ヘッドに通常の印刷に使用するノズルと吐出不良ノズルとを含むノズル全体が、副走査方向Ｂに１列に一定のノズルピッチで整列していることが看取できる。）
　
周知例３について
「【００４９】図１０は、プリントヘッド８０１の記録要素群を上下２つのグループ８１０と８１２とに分けて印刷制御を行う場合を示した図である。この印刷法は、印刷不良が発生した記録要素８０３，８０４を含むグループ８１２を通常の印刷行程から切り離し、他の正常なグループ８１０で印刷を代行させるものである。即ち、プリントヘッド８０１の正常なグループ８１０だけで印刷を行い、不良記録要素８０３，８０４を含むグループ８１２による印刷を行わない。」
（周知例３の【００２５】の「記録要素（ノズル等）」より、【００４９】の「記録要素」はノズルも含む。【００４９】によれば、グループ８１２のノズルに印刷不良が発生したときには、グループ８１０が正常なグループでありグループ８１２が印刷不良のグループであり、両グループは、【００４９】が参照する図１０から看取できるように、副走査方向に１列に一定のノズルピッチで整列している。）
　
　以上のことから、引用発明において、「主ノズル」と「予備ノズル」とを、副走査方向に１列に一定のノズルピッチで整列することは、引用例の記載及び周知技術に基づいて、当業者が容易に想到し得たことである。 
　
（ｉｉ）インクジエツト記録装置において、ノズル群を印刷ヘッドに複数備え、かつ、各ノズル群を構成する複数のノズルが副走査方向に一定のノズルピッチで整列しているとともに、各ノズル群のノズルを、同じ副走査方向位置に並べることは周知技術である。
　該周知技術に関し、周知例２及び原出願日前日本国内において頒布された特開平１０−１９３６４３号公報（以下「周知例４」という。）を挙げることができる。特に、以下の記載を参照されたい。
　
周知例２について
【図面の簡単な説明】のうちの
「【図５】本発明の実施例を説明するための図であって、第３実施例で使用する液滴噴射プリント・ヘッド２４′の構成例を示しており、当該液滴噴射プリント・ヘッドにおける各色のインクを適用したマルチノズル液滴噴射ヘッドの配置を示す図。」
　
　図５からは、【００６５】にいう「各色のプリントヘッドＨＹ，ＨＭ，ＨＣ，ＨＫ」のノズルが、副走査方向に一定のノズルピッチで整列しているとともに、各プリントヘッドのノズルが、同じ副走査方向位置に並んでいることが看取できる。
　
周知例４について
　図２からは、ヘッド１に、各々が２列のノズル列を有する３つのヘッドノズル列２からなる計６列にノズルが並んでいること及び各列のノズルは副走査方向に一定のノズルピッチで整列しているとともに、同じ副走査方向位置（つまり同じ主走査線上）に並んでいることが看取できる。（周知例４の【００１７】の「Ａ方向に移動する印字ヘッド」との記載より、図２におけるＡ方向は主走査方向である。）
　
　以上のことから、引用発明において、ノズル群を印刷ヘッドに複数備え、かつ、各ノズル群を構成する複数のノズルが副走査方向に一定のノズルピッチで整列しているとともに、各ノズル群のノズルを、同じ副走査方向位置に並べることは、周知技術に基づいて、当業者が適宜なし得たことである。
　
（ｉｉｉ）上記（ｉｉ）で述べた周知技術に基づいて、引用発明において、ノズル群を印刷ヘッドに複数備え、かつ、各ノズル群を構成する複数のノズルが副走査方向に一定のノズルピッチで整列しているとともに、各ノズル群のノズルを、同じ副走査方向位置（つまり同じ主走査線上）に並べた際に、同じ副走査方向位置（同じ主走査線上）にノズル群の数だけ並んだノズルを印刷に使用するノズルとすることは、なんら格別のことではない。
　例えば、多色印刷のために各色のノズルを主走査方向に沿って並べた場合であれば、同じ副走査方向位置（同じ主走査線上）に色の数だけ並んだノズルを印刷に使用するノズルとすれば１回の主走査でその主走査線についてのすべての色の印刷が完了するのに対して、そうしなければ、異なる複数回の主走査をしなければある１本の主走査線についてのすべての色の印刷が完了しないことになる。
　周知例２の次の記載はそのことを示唆している。
「【００６３】このような構成の装置は、Ｃ、Ｍ、Ｙ、Ｋ各色プリントを同時に実施できるようにしたもので、原画信号回路３０′から供給されるシアン（Ｃ）、マゼンタ（Ｍ）、イエロー（Ｙ）、黒（Ｋ）の画像のラスタ画信号（プリント画信号）は各色対応に設けられたビットマップメモリ３２′の該当色用のものに書込まれ、マルチノズル液滴噴射ヘッド２４´における後述する各色ヘッドの配置に従った順序、タイミングで読出されて、パラレルにヘッド・ドライバ３５′へ送り込まれ、パラレルに各該当色のヘッドが駆動されて、該当の各色のインクが噴射され、画像記録が成される。」
　
　また、同じ副走査方向位置（同じ主走査線上）に並んだ複数のノズルのうちに非動作ノズルが生じたために同じ副走査方向位置（同じ主走査線上）に並ぶ複数のノズルのみによっては使用ノズル列が構成できないときには、その非動作ノズルを含む同じ副走査方向位置（同じ主走査線上）に並んだ複数のノズルのうちの動作ノズルのみを使用ノズルとし、その非動作ノズルに替わる印刷は別の副走査方向位置（別の主走査線上）において、その非動作ノズルを含むノズル群の中のどれかのノズルを代替ノズルとして実行することも可能であるが、そうすると、２回の主走査が必要となる。
　これに対して、非動作ノズルを含む同じ副走査方向位置（同じ主走査線上）に並んだ複数のノズルの列以外の、非動作ノズルを含まない同じ副走査方向位置（同じ主走査線上）に並んだ複数のノズルの列で使用ノズル列が構成できるときには、それを使用ノズル列として選択した方が、１回の主走査で済んで印刷装置の制御が簡素化される効果が期待されるから、該選択をなすことは当業者が容易に想到し得る。
　
（ｉｖ）上記（ｉ）〜（ｉｉｉ）より、引用発明において、本願発明の相違点３及び相違点４に係る構成を備えることは、引用例の記載及び周知技術に基づいて、当業者が容易に想到し得たことである。
　
＜相違点２＞について 
　引用例の記載からは、引用発明の「検査部」（インク吐出不良検出手段）が「主ノズル」と「予備ノズル」の両方を検査し「主ノズル」の検査結果のみ利用するのか、「主ノズル」の検査しかしないのか定かでない。
　しかしながら、引用発明の「主ノズル」と「予備ノズル」が、引用発明のとおり２列に分かれているのではなく、「各ノズル群を構成する複数のノズルが副走査方向に一定のノズルピッチで整列しているとともに、前記複数のノズル群が主走査方向に沿って並ぶように構成され」た際には、副走査方向と主走査方向に２次元に「主ノズル」と「予備ノズル」とが混在して配置されることになる。
　このような場合に、「主ノズル」と「予備ノズル」からなるノズル全体を検査することは周知技術である。
　該周知技術に関し、周知例１及び周知例４を挙げることができる。特に、以下の記載を参照されたい。
　
周知例１について
「【００５０】・・・なお、ここでは説明を簡単にするために記録ヘッド２ａにのみ注目して説明する。記録ヘッド２ｂ〜２ｄについても同様にして吐出不良ノズルが検出される。」
　
「【００５３】さて、制御回路１６に備えられたＣＰＵは、記録動作に先立ち、或は、その後に、或は、所定の時間間隔で記録ヘッド２ａが有する全てのノズル部１０１Ｂに関し試験的にインク吐出を行なわせ、吐出不良が発生していないかどうかを調べる処理を実行する。」
　
周知例４について
　図２からは、光センサ発光部３から光センサ受光部４にわたって光センサ感度領域５が設定されることが看取できる。（ヘッド１は主走査方向Ａに移動するので、各々が２列のノズル列を有する３つのヘッドノズル列２からなる計６列に並んだすべてのノズルが検査される。）
　
　よって、引用発明において、本願発明の相違点２に係る構成を備えることは、周知技術に基づいて、当業者が容易に想到し得たことである。
　
まとめ  
　以上のことから、引用発明において、本願発明の相違点１〜４に係る構成を備えることは、周知技術及び引用例の記載に基づいて、当業者が容易に想到し得たことである。 
　また、該構成を備えることによる効果も、当業者が予測し得る程度のものである。  
　したがって、本願発明は、引用発明、周知技術及び引用例の記載に基づいて、当業者が容易に発明をすることができたものであるから、特許法第２９条第２項の規定により特許を受けることができない。
　　
第６　むすび
　以上のとおり、本願発明は、特許法第２９条第２項の規定により特許を受けることができないから、本願のその余の請求項に係る発明について検討するまでもなく、本願は拒絶を免れない。
　よって、結論のとおり審決する。